(57)【特許請求の範囲】
【請求項１】
車両に設けられた受電コネクタに接続して、該車両の蓄電池を充電するために用いられると共に、把持部を有する給電手段と、
前記給電手段を収納する収納手段と、
前記収納手段に収納された前記給電手段の前記把持部を前記給電手段により給電される電力によって洗浄する洗浄手段と、
を有する充電装置。
【請求項２】
前記収納手段に収納された前記給電手段の前記把持部の少なくとも一部を覆う覆い手段をさらに有する請求項１に記載の充電装置。
【請求項３】
前記洗浄手段は、前記給電手段が前記収納手段に収納された際に前記把持部を洗浄する請求項１又は請求項２に記載の充電装置。
【請求項４】
前記収納手段には、前記給電手段に係合可能な係合手段が設けられ、
前記洗浄手段は、前記係合手段に前記給電手段が係合された際に前記把持部を洗浄する請求項１又は請求項２に記載の充電装置。
【請求項５】
前記収納手段には、前記給電手段に係合可能な係合手段が設けられ、
前記洗浄手段は、前記係合手段に前記給電手段が係合されてから所定時間経過後に前記把持部を洗浄する請求項１又は請求項２に記載の充電装置。
【請求項６】
前記洗浄手段は、前記給電手段から該給電手段を識別するための識別情報を取得可能であり、前記給電手段から取得した前記識別情報が、予め定められた識別情報と一致する場合にのみ、前記把持部を洗浄する請求項１〜請求項５のいずれか１項に記載の充電装置。
【請求項７】
前記充電装置は、建物の壁面又は外塀に設けられる請求項１〜請求項６のいずれか１項に記載の充電装置。
【請求項８】
前記収納手段により収納された給電手段が、前記建物の壁面又は外塀から突出しない請求項７に記載の充電装置。
【請求項９】
前記給電手段により給電される電力は、建物内に予め設けられている蓄電池から供給される請求項１〜請求項８のいずれか１項に記載の充電装置。
【請求項１０】
前記給電手段は、前記車両から該車両を識別するための車両識別情報を取得可能であり、前記車両から取得した前記車両識別情報が、予め定められた車両識別情報と一致する場合にのみ、前記車両の蓄電池を充電する請求項１〜請求項９のいずれか１項に記載の充電装置。
【発明の詳細な説明】
【技術分野】
【０００１】
本発明は、充電装置に係り、特に車両の蓄電池に充電する際に用いられる給電コネクタの把持部を洗浄する充電装置に関する。
【背景技術】
【０００２】
車両の蓄電池に充電する際に用いられる給電コネクタに関し、特許文献１には、充電スタンドの給電コネクタを車体の受電コネクタに嵌合して充電を行う電気自動車用充電コネクタにおいて、前記給電コネクタの前記受電コネクタとの嵌合側内部に、該嵌合側内部に付着する埃等の異物や水分をパージするエアパージ手段を設けた技術が開示されている。
【特許文献１】特開平１０−１１２３４８号公報
【発明の開示】
【発明が解決しようとする課題】
【０００３】
このような技術背景において、給電コネクタには車両に充電するために人が把持するための把持部が設けられており、この把持部が汚れるという問題点があった。
【０００４】
本発明は上記問題点を鑑み、給電コネクタの把持部の汚れを除去可能な充電装置を提供することを目的とする。
【課題を解決するための手段】
【０００５】
上記課題を解決するために、請求項１の発明は、車両に設けられた受電コネクタに接続して、該車両の蓄電池を充電するために用いられると共に、把持部を有する給電手段と、前記給電手段を収納する収納手段と、前記収納手段に収納された前記給電手段の前記把持部を前記給電手段により給電される電力によって洗浄する洗浄手段と、を有する。
【０００６】
請求項１の発明によれば、車両に設けられた受電コネクタに接続して、該車両の蓄電池を充電するために用いられると共に、把持部を有する給電手段を収納する収納手段に収納された前記給電手段の前記把持部を洗浄することにより、給電コネクタの把持部の汚れを除去可能となる。
【０００７】
また、請求項２の発明は、前記収納手段に収納された前記給電手段の前記把持部の少なくとも一部を覆う覆い手段をさらに有する。
【０００８】
請求項２の発明によれば、前記収納手段に収納された前記給電手段の前記把持部の少なくとも一部を覆う覆い手段により、覆い部により汚れの付着を防止することができる。
【０００９】
また、請求項３の発明は、前記洗浄手段は、前記給電手段が前記収納手段に収納された際に前記把持部を洗浄する。
【００１０】
請求項３の発明によれば、前記洗浄手段は、前記給電手段が前記収納手段に収納された際に前記把持部を洗浄することにより、収納後に即座に把持部を洗浄することが可能となる。
【００１１】
また、請求項４の発明は、前記収納手段には、前記給電手段に係合可能な係合手段が設けられ、前記洗浄手段は、前記係合手段に前記給電手段が係合された際に前記把持部を洗浄する。
【００１２】
請求項４の発明によれば、前記収納手段には、前記給電手段に係合可能な係合手段が設けられ、前記洗浄手段は、前記係合手段に前記給電手段が係合された際に前記把持部を洗浄することにより、係合後に即座に把持部を洗浄することが可能となるとともに、係合されることで給電手段が容易には外れないため、安全に洗浄することができる。
【００１３】
また、請求項５の発明は、前記収納手段には、前記給電手段に係合可能な係合手段が設けられ、前記洗浄手段は、前記係合手段に前記給電手段が係合されてから所定時間経過後に前記把持部を洗浄する。
【００１４】
請求項５の発明によれば、前記収納手段には、前記給電手段に係合可能な係合手段が設けられ、前記洗浄手段は、前記係合手段に前記給電手段が係合されてから所定時間経過後に前記把持部を洗浄することにより、給電手段が一時的に係合された際に洗浄されることを防止することができる。
【００１５】
請求項６の発明は、前記洗浄手段は、前記給電手段から該給電手段を識別するための識別情報を取得可能であり、前記給電手段から取得した前記識別情報が、予め定められた識別情報と一致する場合にのみ、前記把持部を洗浄する。
【００１６】
請求項６によれば、前記洗浄手段は、前記給電手段から該給電手段を識別するための識別情報を取得可能であり、前記給電手段から取得した前記識別情報が、予め定められた識別情報と一致する場合にのみ、前記把持部を洗浄することにより、洗浄対象ではない他の給電コネクタを洗浄することを防止することができる。
【００１９】
請求項７の発明は、前記充電装置は、建物の壁面又は外塀に設けられる。
【００２０】
請求項７の発明によれば、充電装置は、建物の壁面又は外塀に設けられるようにしても良く、この場合、容易に車両の蓄電池を充電することが可能となる。
【００２１】
請求項８の発明は、前記収納手段により収納された給電手段が、前記建物の壁面又は外塀から突出しない。
【００２２】
請求項８の発明によれば、壁面又は外塀から突出しないので、建物の外観を損ねることもなく、また突出する場合と比較して、汚れの付着を防止することができる。
【００２３】
請求項９の発明は、前記給電手段により給電される電力は、建物内に予め設けられている蓄電池から供給される。
【００２４】
請求項９の発明によれば、電力を建物内に予め設けられている蓄電池から供給されるようにしても良く、この場合、電力を建物内に予め設けられている蓄電池には例えば太陽発電等により得られた電気が蓄えられているので、電気代の低減や環境に配慮した構成となる。
【００２５】
請求項１０の発明は、前記給電手段は、前記車両から該車両を識別するための車両識別情報を取得可能であり、前記車両から取得した前記車両識別情報が、予め定められた車両識別情報と一致する場合にのみ、前記該車両の蓄電池を充電する。
【００２６】
請求項１０の発明によれば、前記給電手段は、前記車両から該車両を識別するための車両識別情報を取得可能であり、前記車両から取得した前記車両識別情報が、予め定められた車両識別情報と一致する場合にのみ、前記車両の蓄電池を充電するので、充電対象ではない他の車両に充電することを防止することができる。
【発明の効果】
【００２７】
本発明によれば、給電コネクタの把持部の汚れを除去可能な充電装置を提供することができるという効果が得られる。
【発明を実施するための最良の形態】
【００２８】
以下、図面を参照して、本発明の実施の形態について詳細に説明する。
【００２９】
図１は、本実施の形態に係る充電装置１０及びその周辺の構成例を示す図である。同図には、電柱５、建物３０、充電装置１０、及び車両２０が示されている。建物３０は電柱より電線７を介して電力が供給され、その電力は建物３０に設けられた家庭用電源３２にも供給される。なお、後述する実施の形態では、充電装置１０にも供給されることがある。
【００３０】
充電装置１０は、建物３０の壁面又は外塀に設けられるようになっており（図では壁面３６に設けられている）、洗浄機１２、及び給電コネクタ１４を含んで構成される。給電コネクタ１４は、家庭用電源３２から電力を供給される。そして、給電コネクタ１４は、同図に示されるように車両２０に設けられた受電コネクタ２２と接続することで、車両２０に設けられた蓄電池２４を充電するようになっている。
【００３１】
上述した洗浄機１２は、充電装置１０が家庭用電源３２により電力が供給される場合は、その電力で把持部４０を洗浄し、家庭用電源３２により電力が供給されない場合、洗浄機１２は、給電コネクタ１４により給電される電力によって把持部４０を洗浄する。
【００３２】
以上説明した図１に示される構成は、電柱５から供給される電源により動作するものであったが、図２に示されるように、建物３０内に予め設けられている建物蓄電池３４から供給される電力により動作するようにしても良い。同図に示されるように建物蓄電池３４は、図１の場合と同様に家庭用電源３２に電源を供給するようになっている。
【００３３】
さらに、図３に示されるように、建物の壁面３６又は外塀（図示せず）から突出しないように充電装置１０を設けるようにしても良い。これにより、建物の外観を損ねることもなく、また突出する場合と比較して、汚れの付着を防止することができる。なお、図３では建物蓄電池３４から電源を供給されているが、図１と同様に電柱７より電線を介して供給された電力を用いるようにしても良い。
【００３４】
次に、図４を用いて充電装置１０の詳細について説明する。図４には、給電コネクタ１４、把持部４０、洗浄機１２、収納部４２、及び係合部４４が示されている。また、図４（ａ）は、給電コネクタ１４が収納部４２に収納されていない状態を示し、図４（ｂ）は給電コネクタ１４が収納部４２に収納された状態を示している。
【００３５】
把持部４０は、給電コネクタ１４を人が車両に充電する際などに手により把持するために設けられている。給電コネクタ１４を矢印方向に収納部４２に収納することにより、図４（ｂ）に示されるように、収納部４２に収納され、さらに係合部４４により係合される。そのとき、把持部４０は、同図に示されるように、少なくとも一部が覆われるようにもなっている。これにより洗浄機１２により把持部４０が洗浄されるが洗浄機１２の洗浄例として、エアーパージ、紫外線照射による洗浄が挙げられる。なお、同図では洗浄機１２が把持部４０を覆うようになっているが、洗浄機１２とは独立して覆い部を設け、さらに一部ではなく全体を覆うようにしても良い。この覆い部により汚れの付着を防止することができる。
【００３６】
また、家庭用電源３２により電力が供給されない場合、洗浄機１２は、給電コネクタ１４により給電される電力によって把持部４０を洗浄するので、収納部４２には給電コネクタ１４から受電して洗浄機１２に電力を供給できるようになっている。
【００３７】
次に電気的構成について説明する。図５は、充電装置１０に家庭用電源３２により電力が供給されない場合の電気的構成を示す図である。同図には、家庭用電源３２、給電コネクタ１４、収納部４２、洗浄機１２、及び制御装置１６が示されている。
【００３８】
家庭用電源３２から供給された電力は、給電コネクタ１４に供給され、さらに収納部４２を介して洗浄機１２に供給される。制御装置１６は、ＣＰＵ（Central Processing Unit）、ＲＡＭ（Random Access Memory）、ＲＯＭ（Read Only Memory）等により構成される洗浄機１２を制御するものであり、後述するフローチャートは、ＲＯＭに記憶されたプログラムをＣＰＵが実行する際の処理の流れを示している。
【００３９】
次の図６は、充電装置１０に家庭用電源３２により電力が供給される場合の電気的構成を示す図である。同図には、家庭用電源３２、給電コネクタ１４、洗浄機１２、制御装置１６、及びセンサ１８が示されている。
【００４０】
家庭用電源３２から供給された電力は、給電コネクタ１４及び洗浄機１２に供給され、さらに洗浄機１２を介してセンサ１８に供給される。図５の構成との違いにより、洗浄機１２及びセンサ１８には常に電力を供給することが可能となる。また、センサ１８は、収納部４２に収納、又は係合部４４に係合されたことを検知するセンサである。このセンサ１８の検知により、収納部４２に収納、又は係合部４４に係合された際に、把持部４０の洗浄を開始することができる。この場合のセンサ１８の例として、収納部４２又は係合部４４に物理的な接触がされたことを検知するセンサが挙げられ、その場合は収納部４２又は係合部４４における収納又は係合される箇所にセンサ１８が取り付けられることとなる。
【００４１】
なお、図５の構成であっても、洗浄機１２に通電されたことが、収納部４２に収納、又は係合部４４に係合されたことを示すので、それによっても収納部４２に収納、又は係合部４４に係合された際に、把持部４０の洗浄を開始することができる。
【００４２】
図７は、給電コネクタ１４にも制御装置５０が設けられる構成を示している。この制御装置５０の構成も制御装置１６の構成と同じく、ＣＰＵ、ＲＡＭ、ＲＯＭ等で構成される。同図に示される構成は、洗浄機１２が給電コネクタ１４から識別情報を取得する場合の構成例を示している。この識別情報は給電コネクタ１４に一意的に割り当てられた給電コネクタ１４を識別するための情報である。
【００４３】
例えば、制御装置５０は、洗浄機１２に対して識別情報を電波を用いて発信し、それを洗浄機１２の制御装置１６が受信することで、洗浄機１２が給電コネクタ１４から識別情報を取得することができる。この場合、例えば給電コネクタ１４にＩＣタグを設けておくようにする。そして、このＩＣタグは洗浄機１２からの発射される電波を用いて電力を生成し、その電力を用いて動作することとなる。
【００４４】
一般的に、給電コネクタは家庭用電源から取り外し可能となっているため、他の給電コネクタを家庭用電源に接続して洗浄機１２による洗浄が可能となる。識別情報を用いて制御することで、このような他の給電コネクタを洗浄することを防止することができる。
【００４５】
また、図７に示される構成は、給電コネクタ１４が、車両から該車両を識別するための車両識別情報を取得可能であり、車両から取得した車両識別情報が、予め定められた車両識別情報と一致する場合にのみ、車両の蓄電池を充電する場合の構成でもある。この場合も車両と無線通信することで車両識別情報を取得し、その車両識別情報によって充電するか否か判定する。これにより、充電対象ではない他の車両に充電することを防止することができる。
【００４６】
なお、図８は、充電装置１０に家庭用電源３２により電力が供給されない場合の応用例を示す図であり、図５に示した構成に、新たにコンセント４６を追加した構成を示している。この構成によれば、家庭用電源３２から供給された電力は、給電コネクタ１４に供給され、さらに収納部４２を介して洗浄機１２及びコンセント４６に供給される。このコンセント４６は、一般的なコンセントであり、例えば車両内部の清掃をするための掃除機の電源供給源として、或いは暗い場合に用いる照明の電源供給源として用いることができる。
【００４７】
上述した図５〜図８に示される構成のうち、図５、７、８に示される構成は、充電装置１０に対する家庭用電源からの電力供給が不要であるので、電気工事をしなくても設置することが可能である。従って、充電装置１０の移動、例えば車両の買い換えによる受電コネクタ２２の位置の移動にも柔軟に対応することができる。
【００４８】
以上説明した電気的構成により実行される処理を、フローチャートを用いて説明する。図９に示されるフローチャートは洗浄処理（その１）の流れを示すフローチャートである。まず、ステップ１０１で、制御装置１６は、給電コネクタ１４が収納部４２に収納又は係合部４４に係合されたか否か判定する。
【００４９】
この判定において、図５の構成の場合は、通電したか否か、すなわち制御装置１６自身が起動することが肯定判定となる。一方、図６、７の構成の場合は、センサ１８による検知結果によって判定するようにしても良い。
【００５０】
次のステップ１０２で制御装置１６は、タイマをセットする。このタイマは洗浄を開始するまでの時間を計測するタイマである。これにより係合部４４に給電コネクタ１４が係合されてから、又は収納部４２に収納されてから所定時間経過後に把持部４０を洗浄することができる。なお、すぐに洗浄を開始する場合は、タイマセット時間を０とすればよい。
【００５１】
ステップ１０３で制御装置１６はタイムアウトになったか否か判定し、タイムアウトになるとステップ１０４で洗浄機１２が把持部４０を一定時間洗浄して処理を終了する。洗浄時間は、洗浄機１２の性能や、充電装置１０のおかれた自然環境等に依存して定めるようにしても良い。
【００５２】
次の図１０に示されるフローチャートは、図７の構成において実行可能な洗浄処理の流れを示している。まず、ステップ２０１で、制御装置１６は給電コネクタ１４が収納部４２に収納又は係合部４４に係合されたか否か判定する。この判定方法は、ステップ１０１と同様の方法となる。
【００５３】
次のステップ２０２で、制御装置１６は識別情報を取得する。この取得方法は、図７の説明において記載された方法が挙げられる。次のステップ２０３で、制御装置１６は予め定められた識別情報を一致するか否か判定する。この予め定められた識別情報は、制御装置１６に設けられたＲＯＭ（例えばフラッシュメモリ等の書き換え可能なＲＯＭ）に、洗浄する給電コネクタの識別情報を予め登録された識別情報である。従って、ステップ２０３の処理は、制御装置１６が給電コネクタ１４から取得した識別情報がＲＯＭに記憶されているか否かを判定する処理である。
【００５４】
次のステップ２０４、２０５、２０６は、図９におけるステップ１０３、１０４、１０５と同じであるので省略する。
【００５５】
以上説明した実施の形態では、建物の壁面に充電装置１０が設けられているが、例えば図１１に示されるような公共用充電スタンド９０にも適用できることは言うまでもない。不特定多数の人が使用する公共用充電スタンドにおいて、把持部の洗浄は非常に有効である。
【００５６】
上述した実施の形態で示した各フローチャートの処理の流れ（図９、図１０参照。）は一例であり、本発明の主旨を逸脱しない範囲内で適宜変更することができることも言うまでもない。
【図面の簡単な説明】
【００５７】
【図１】充電装置及びその周辺の構成例を示す図（その１）である。
【図２】充電装置及びその周辺の構成例を示す図（その２）である。
【図３】充電装置及びその周辺の構成例を示す図（その３）である。
【図４】充電装置の詳細を示す図である。
【図５】電気的構成例を示す図（その１）である。
【図６】電気的構成例を示す図（その２）である。
【図７】電気的構成例を示す図（その３）である。
【図８】電気的構成例を示す図（その４）である。
【図９】洗浄処理の流れを示すフローチャートである（その１）。
【図１０】洗浄処理の流れを示すフローチャートである（その２）。
【図１１】公共用充電スタンドの例を示す図である。
【符号の説明】
【００５８】
１０  充電装置
１２  洗浄機（覆い部）
１４  給電コネクタ
１６、５０  制御装置
１８  センサ
２０  車両
２２  受電コネクタ
２４  蓄電池
３０  建物
３２  家庭用電源
３４  建物蓄電池
３６  壁面
４０  把持部
４２  収納部
４４  係合部
４６  コンセント
【図１】
0005511439.tif 000002
【図２】
0005511439.tif 000003
【図３】
0005511439.tif 000004
【図４】
0005511439.tif 000005
【図５】
0005511439.tif 000006
【図６】
0005511439.tif 000007
【図７】
0005511439.tif 000008
【図８】
0005511439.tif 000009
【図９】
0005511439.tif 000010
【図１０】
0005511439.tif 000011
【図１１】
0005511439.tif 000012